(57)【要約】  通常のボタンを利用することができると共に、容易に着脱可能であり、使用感も通常のボタンと異なることがないようにボタンを取り付けることができるボタン類取付具を提供する。  本発明は、ボタン類（１０）を、布地（８）に着脱可能に取り付けるためのボタン類取付具（１）であって、布地に取り付けるべきボタン類から延び、布地に形成したボタン取付穴に挿通された糸（１２）を通すための主貫通孔（２ｃ）が形成された取付具本体部（２）と、主貫通孔を通った糸を絡めるための糸係留部（４）と、この糸係留部に絡めた糸の端部を挟んで固定するための糸挟持部（６）と、を有することを特徴としている。
2008099461.tif 000002
【特許請求の範囲】
【請求項１】
ボタン類を、布地に着脱可能に取り付けるためのボタン類取付具であって、
布地に取り付けるべきボタン類から延び、上記布地に形成したボタン取付穴に挿通された糸を通すための主貫通孔が形成された取付具本体部と、
上記主貫通孔を通った糸を絡めるための糸係留部と、
この糸係留部に絡めた糸の端部を挟んで固定するための糸挟持部と、
を有することを特徴とするボタン類取付具。
【請求項２】
上記取付具本体部と上記糸係留部は、嵌着可能な別体の部品によって構成され、嵌着された上記取付具本体部と上記糸係留部との間に上記糸挟持部が形成される請求項１記載のボタン類取付具。
【請求項３】
上記取付具本体部は、上記主貫通孔が形成され、上記糸係留部に嵌着される本体部嵌着部と、この本体部嵌着部の周囲に形成された本体部平板部と、を備える請求項２記載のボタン類取付具。
【請求項４】
上記糸係留部は、上記本体部嵌着部に嵌着される糸係留部嵌着部と、この糸係留部嵌着部から延び、先端が幅広に形成された糸絡め腕と、を備える請求項３記載のボタン類取付具。
【請求項５】
上記糸挟持部は、上記本体部平板部及び／又は上記糸絡め腕に形成された隆起部によって構成されている請求項４記載のボタン類取付具。
【請求項６】
上記取付具本体部には、上記取付具本体部を布地に縫着するための複数の縫着孔が形成されている請求項１乃至５の何れか１項に記載のボタン類取付具。
【請求項７】
さらに、ボタン類から延びる糸を挿通する固定用部材貫通孔が形成され、上記ボタン取付穴を介して上記布地を挟むように上記取付具本体部と嵌着されることにより、上記取付具本体部を上記布地に固定する固定用部材を有する請求項１乃至５の何れか１項に記載のボタン類取付具。
【請求項８】
上記取付具本体部と上記糸係留部が一体に形成され、この一体化された糸係留部と上記布地との間に上記糸挟持部が形成される請求項７記載のボタン類取付具。
【請求項９】
上記固定用部材が、ボタン類の孔に挿通されたボタン付け糸を、上記糸係留部に絡める係留用糸に結合するための結合部材を受け入れ、保持する結合部材受入凹部を有する請求項７又は８記載のボタン類取付具。
【請求項１０】
請求項１乃至９の何れか１項に記載のボタン類取付具に取り付けるための取付用ボタンであって、
ボタン類と、
このボタン類の孔に挿通されたボタン付け糸と、
上記ボタン類取付具に係止するための係留用糸と、
上記ボタン付け糸と上記係留用糸とを結合する結合部材と、
を有することを特徴とする取付用ボタン。
【請求項１１】
ボタン類が取り付けられた衣類の製造方法であって、
衣類の上記ボタン類を取り付けるべき箇所にボタン取付穴を形成する段階と、
請求項１乃至９の何れか１項に記載のボタン類取付具を準備する段階と、
上記ボタン類から延びる糸を、上記ボタン取付穴に挿通する段階と、
上記ボタン取付穴を通った糸を、上記ボタン類取付具の上記主貫通孔に挿通する段階と、
上記主貫通孔を通った糸を、上記糸係留部に絡める段階と、
上記糸係留部に絡めた糸を上記糸挟持部に挟んで固定する段階と、
を有することを特徴とする衣類の製造方法。
【発明の詳細な説明】
【技術分野】
【０００１】
本発明は、ボタン類取付具及びそれに取り付ける取付用ボタン、及びボタン類を取り付けた衣類の製造方法に関し、特に、ボタン類を布地に着脱可能に取り付けるためのボタン類取付具及びそれに取り付ける取付用ボタン、及びボタン類取付具が取り付けられた衣類の製造方法に関する。
【背景技術】
【０００２】
糸で布地に縫着されるボタンやアクセサリー等のボタン類の取り付け方法として様々なものが知られている。
実開昭５７−１５２０８号公報（特許文献１）には、迅速取り付け可能なボタンが記載されている。ここに記載されているボタンは裏側から複数本の針が突出したものであり、これらの針を布地に刺すと共に、布地の裏側に突出した針を専用の止め金具で固定して、ボタンを布地に取り付けるものである。【０００３】
特開平８−１０３３０３号公報（特許文献２）には、裏側に留め具を有するボタンが記載されている。ここに記載されているボタンは、通常のボタンの裏側に、留め具が糸で連結されたものであり、この留め具を衣類に設けられたボタン穴にカフスボタンの要領で挿入することにより、ボタンを布地に取り付けるものである。【０００４】
実開昭５９−１３４４１０号公報（特許文献３）には、被服用ボタンが記載されている。ここに記載されている被服用ボタンは、裏側に脚が突出したものであり、この脚の中間に形成された円板と、別体の固定具の間に布地を挟むことにより、ボタンを布地に取り付けるものである。【０００５】
実開平７−１６６０５号公報（特許文献４）には、簡易取付けボタンが記載されている。ここに記載されている簡易取付けボタンは、ボタン本体の穴に細い針金を通すと共に、この針金を布地に刺し通し、布地の裏側に突出した針金を補助ボタンの穴を通して結び、最後に補助ボタンにキャップを被せるというものである。【０００６】
【特許文献１】実開昭５７−１５２０８号公報
【特許文献２】特開平８−１０３３０３号公報
【特許文献３】実開昭５９−１３４４１０号公報
【特許文献４】実開平７−１６６０５号公報
【発明の開示】
【発明が解決しようとする課題】
【０００７】
しかしながら、実開昭５７−１５２０８号公報及び実開昭５９−１３４４１０号公報に記載されたボタンは特殊な構造のものであり、一般に流通している通常のボタンを使用することができないという問題がある。また、実開平７−１６６０５号公報に記載された考案では、通常のボタンを利用することができるものの、布地に一旦取り付けてしまうと、容易に取り外すことができないという問題がある。さらに、特開平８−１０３３０３号公報記載の発明は、通常のボタンを使用することができ、取り外すことも可能であるが、カフスボタン状のものであるため、外観や、使用感が通常のボタンとは異なるものになってしまうという問題がある。【０００８】
従って、本発明は、通常のボタンを利用することができると共に、容易に着脱可能であり、使用感も通常のボタンと異なることがないようにボタンを取り付けることができるボタン類取付具及びそれに取り付ける取付用ボタン、及びボタン類を取り付けた衣類の製造方法を提供することを目的としている。
【課題を解決するための手段】
【０００９】
上述した課題を解決するために、本発明は、ボタン類を、布地に着脱可能に取り付けるためのボタン類取付具であって、布地に取り付けるべきボタン類から延び、布地に形成したボタン取付穴に挿通された糸を通すための主貫通孔が形成された取付具本体部と、主貫通孔を通った糸を絡めるための糸係留部と、この糸係留部に絡めた糸の端部を挟んで固定するための糸挟持部と、を有することを特徴とするボタン類取付具。【００１０】
このように構成された本発明においては、布地に取り付けるべきボタン類から延びる糸を、布地に形成したボタン取付穴に挿通し、さらに、取付具本体部の主貫通孔に挿通する。主貫通孔を通った糸は、糸係留部に絡められ、絡めた糸の端部は糸挟持部に挟まれ、固定される。また、ボタン類を取り外す場合には、挟持された糸を糸挟持部から抜き、糸係留部に絡めた糸をもとに戻せばよい。【００１１】
このように構成された本発明によれば、ボタン類を容易に着脱することができる。また、一般に流通している通常のボタンを、通常の糸によって取り付けることができるので、使用感も通常のボタンと異なることがない。【００１２】
本発明において、好ましくは、取付具本体部と糸係留部は、嵌着可能な別体の部品によって構成され、嵌着された取付具本体部と糸係留部との間に糸挟持部が形成される。
このように構成された本発明によれば、糸を確実に固定することができる糸挟持部を簡便に形成することができる。【００１３】
本発明において、好ましくは、取付具本体部は、主貫通孔が形成され、糸係留部に嵌着される本体部嵌着部と、この本体部嵌着部の周囲に形成された本体部平板部と、を備える。
このように構成された本発明によれば、本体部嵌着部の周囲に本体部平板部が形成されているので、主貫通孔の周囲を本体部平板部により補強することができる。【００１４】
本発明において、好ましくは、糸係留部は、本体部嵌着部に嵌着される糸係留部嵌着部と、この糸係留部嵌着部から延び、先端が幅広に形成された糸絡め腕と、を備える。
このように構成された本発明によれば、糸絡め腕の先端が幅広に形成されているので、糸絡め腕に絡めた糸が抜けるのを防止することができる。【００１５】
本発明において、好ましくは、糸挟持部は、本体部平板部及び／又は糸絡め腕に形成された隆起部によって構成されている。
このように構成された本発明によれば、糸挟持部に隆起部が形成されているので、糸の端部を確実に挟持し、固定することができる。【００１６】
本発明において、好ましくは、取付具本体部には、取付具本体部を布地に縫着するための複数の縫着孔が形成されている。
このように構成された本発明によれば、取付具本体部に縫着孔が形成されているので、取付具本体部を布地に容易に縫着することができる。【００１７】
本発明において、好ましくは、さらに、ボタン類から延びる糸を挿通する固定用部材貫通孔が形成され、ボタン取付穴を介して布地を挟むように取付具本体部と嵌着されることにより、取付具本体部を布地に固定する固定用部材を有する。【００１８】
このように構成された本発明においては、固定用部材と取付具本体部の間に布地を挟むことにより、ボタン類取付具が布地に取り付けられる。
このように構成された本発明によれば、縫着によることなく、ボタン類取付具を布地に取り付けることができる。【００１９】
本発明において、好ましくは、取付具本体部と糸係留部が一体に形成され、この一体化された糸係留部と布地との間に糸挟持部が形成される。
このように構成された本発明によれば、ボタン類取付具を薄型に形成することができる。【００２０】
本発明において、好ましくは、固定用部材が、ボタン類の孔に挿通されたボタン付け糸を、糸係留部に絡める係留用糸に結合するための結合部材を受け入れ、保持する結合部材受入凹部を有する。【００２１】
このように構成された本発明においては、ボタン類の孔に挿通されたボタン付け糸が、結合部材によって係留用糸に結合される。この結合部材は、固定用部材に形成された結合部材受入凹部に受け入れられ、保持される。【００２２】
このように構成された本発明によれば、結合部材が結合部材受入凹部に受け入れられ、保持されるので、糸係留部に絡めるために係留用糸を引いたとき、結合部材が布地の裏側に抜けるのを防止することができる。【００２３】
また、本発明は、本発明のボタン類取付具に取り付けるための取付用ボタンであって、ボタン類と、このボタン類の孔に挿通されたボタン付け糸と、ボタン類取付具に係止するための係留用糸と、ボタン付け糸と係留用糸とを結合する結合部材と、を有することを特徴としている。【００２４】
このように構成された本発明の取付用ボタンを使用することにより、意匠性に優れた糸をボタン付け糸に使用し、糸係留部に絡めるのに適した糸を係留用糸に使用することができる。【００２５】
さらに、本発明は、ボタン類が取り付けられた衣類の製造方法であって、衣類のボタン類を取り付けるべき箇所にボタン取付穴を形成する段階と、本発明のボタン類取付具を準備する段階と、ボタン類から延びる糸を、ボタン取付穴に挿通する段階と、ボタン取付穴を通った糸を、ボタン類取付具の主貫通孔に挿通する段階と、主貫通孔を通った糸を、糸係留部に絡める段階と、糸係留部に絡めた糸を糸挟持部に挟んで固定する段階と、を有することを特徴としている。
【発明の効果】
【００２６】
本発明のボタン類取付具及びそれに取り付ける取付用ボタン、及びボタン類を取り付けた衣類の製造方法によれば、通常のボタンを利用することができると共に、容易に着脱可能であり、使用感も通常のボタンと異なることがない。
【発明を実施するための最良の形態】
【００２７】
次に、添付図面を参照して、本発明の好ましい実施形態を説明する。
まず、図１乃至図５を参照して、本発明の第１実施形態によるボタン類取付具を説明する。図１（ａ）は本実施形態によるボタン類取付具の正面図であり、（ｂ）はその側面断面図である。図２（ａ）は本実施形態によるボタン類取付具を構成する取付具本体部の正面図であり、（ｂ）はその側面断面図である。図３（ａ）は本実施形態によるボタン類取付具を構成する糸係留部の正面図であり、（ｂ）はその側面断面図である。【００２８】
図１に示すように、本発明の第１実施形態によるボタン類取付具１は、取付具本体部２と、糸係留部４と、を有する。また、取付具本体部２と糸係留部４との間には、ボタンを取り付けるための糸の端部を挟んで固定するための糸挟持部６が構成されている。本実施形態においては、取付具本体部２と糸係留部４は別体の部品によって夫々構成され、これらを嵌着することにより図１に示す形状になる。【００２９】
図２に示すように、取付具本体部２は、本体部嵌着部２ａと、この本体部嵌着部の周囲に形成された本体部平板部２ｂと、を有する。
本体部嵌着部２ａは概ね円柱状に形成されており、この部分がスナップ式に糸係留部４に嵌め込まれることにより、取付具本体部２と糸係留部４が嵌着されるようになっている。また、本体部嵌着部２ａには、円柱の軸方向に延びる２つの主貫通孔２ｃが設けられている。【００３０】
本体部平板部２ｂは、本体部嵌着部２ａの端面に形成された円盤状の部分であり、本体部嵌着部２ａと同心円状に形成されている。また、本体部平板部２ｂには、縫着孔である円弧状の長穴２ｄが４つ形成されており、この長穴２ｄに糸を通して縫いつけることにより、取付具本体部２を布地に縫着することができるようになっている。さらに、本体部平板部２ｂの外周には、円盤の厚さが厚くなった隆起部２ｅが形成されている。【００３１】
図３に示すように、糸係留部４は、円環状の糸係留部嵌着部４ａと、この糸係留部嵌着部４ａから放射方向に延びる４本の糸絡め腕４ｂと、を有する。
糸係留部嵌着部４ａは円環状の部分であり、この中に本体部嵌着部２ａをスナップ式に受け入れることによって、取付具本体部２と糸係留部４が嵌着されるようになっている。糸絡め腕４ｂは、円環状の糸係留部嵌着部４ａから等間隔に放射状に延びるように４本形成されており、その先端は幅が広くなり円弧状の形態になっている。この糸絡め腕４ｂの先端の円弧状の部分は、厚さが厚くなっており、隆起部４ｃを構成している。【００３２】
図１に示すように、本体部平板部２ｂに形成された隆起部２ｅ及び糸絡め腕４ｂの先端に形成された隆起部４ｃは、取付具本体部２と糸係留部４が嵌着されると隙間なく当接し、糸をそれらの間に確実に挟持できるようになっている。
次に、図４及び図５を参照して、本発明の第１実施形態によるボタン類取付具１を使用した衣類の製造方法を説明する。図４（ａ）は衣類のボタン取付部分を拡大し、衣類の表側から見た斜視図であり、（ｂ）は衣類の裏側から見た斜視図である。図５は、糸係留部４に対する糸の絡め方の一例を示す図である。【００３３】
まず、図４（ａ）に示すように、衣類８のボタンを取り付けるべき箇所に、ボタン取付穴８ａを形成する。好ましくは、ボタン取付穴８ａの縁がほつれることのないように、ボタン穴かがりの要領で穴の縁をかがり縫いしておく。一方、図４（ｂ）に示すように、衣類８の裏側にボタン取付穴８ａと主貫通孔２ｃが整合するようにボタン類取付具１を配置する。次いで、本体部平板部２ｂの長穴２ｄを利用してボタン類取付具１を縫着糸８ｂで衣類８に縫着する。【００３４】
次に、図４（ａ）に示すように、ボタン類であるボタン１０の穴１０ａに糸１２を通しておく。このボタン１０から延びる糸１２の両端をボタン取付穴８ａに挿通させ、さらに、ボタン取付穴８ａを通った糸を、ボタン類取付具１の２つの主貫通孔２ｃに夫々挿通させる。好ましくは、糸１２を、容易にボタン取付穴８ａや主貫通孔２ｃに挿通させることができるように、糸１２の両端部を任意適当な接着剤等で固めておく。【００３５】
図５（ａ）に示すように、まず、図５（ａ）における左側の主貫通孔２ｃを通って衣類８の裏側に挿通された糸１２を、左側の糸絡め腕４ｂにその裏側から絡める。次いで、図５（ｂ）に示すように、左側の糸絡め腕４ｂに絡めた糸１２を下側の糸絡め腕４ｂに裏側から絡め、表側に出た糸を再び左側の糸絡め腕４ｂの裏側に通す。最後に、糸１２の端部を、本体部平板部２ｂの隆起部２ｅと糸絡め腕４ｂの隆起部４ｃの間に挟んで固定する。この際、糸１２の端部を糸絡め腕４ｂの先端の円弧状の部分に数回巻き付けるようにしても良い。【００３６】
同様に、図５（ｃ）に示すように、右側の主貫通孔２ｃを通って衣類８の裏側に挿通された糸１２を、右側及び上側の糸絡め腕４ｂに絡め、最後に糸１２の端部を固定する。これにより、１つのボタン付け作業が終了する。なお、ボタン１０を他のものに交換する場合や、衣類８をクリーニングに出す際等にボタン１０を取り外す場合には、上記とは逆の手順で糸１２を糸絡め腕４ｂから外し、ボタン１０及び糸１２をボタン取付穴８ａから抜き取ることにより、ボタン１０を容易に取り外すことができる。【００３７】
本発明の第１実施形態のボタン類取付具によれば、挟持された糸を糸挟持部から抜き、糸係留部に絡めた糸をもとに戻すだけで、ボタンを容易に着脱することができる。また、一般に流通している通常のボタンを、通常の糸によって取り付けることができるので、使用感も通常のボタンと異なることがない。【００３８】
また、本実施形態のボタン類取付具によれば、取付具本体部と糸係留部が嵌着された別体の部品によって構成されているので、緊密に当接された糸挟持部を容易に構成することができる。
さらに、本実施形態のボタン類取付具によれば、糸絡め腕の先端が幅広に形成されているので、糸絡め腕に絡めた糸が抜けるのを防止することができる。【００３９】
また、本実施形態のボタン類取付具によれば、糸挟持部に隆起部が形成されているので、糸の端部を大きな圧力で挟むことができ、糸を確実に挟持し、固定することができる。
さらに、本実施形態のボタン類取付具によれば、取付具本体部に縫着用の長孔が形成されているので、取付具本体部を布地に容易に縫着することができる。【００４０】
次に、図６及び図７を参照して、本発明の第２実施形態によるボタン類取付具を説明する。
本実施形態によるボタン類取付具は、主貫通孔が１つである点、糸絡め腕が２本である点が、上述した第１実施形態とは異なる。従って、ここでは、本発明の第２実施形態の第１実施形態とは異なる点についてのみ説明し、同様の点については説明を省略する。図６（ａ）は本発明の第２実施形態によるボタン類取付具の正面図であり、（ｂ）はその側面断面図である。図７は、糸係留部に対する糸の絡め方の一例を示す図である。【００４１】
図６に示すように、本発明の第２実施形態によるボタン類取付具２００は、取付具本体部２０２と、糸係留部２０４と、を有する。また、取付具本体部２０２と糸係留部２０４との間には、ボタンを取り付けるための糸の端部を挟んで固定するための糸挟持部２０６が構成されている。本実施形態においても、取付具本体部２０２と糸係留部２０４は別体の部品によって夫々構成され、これらを嵌着することにより図６に示す形状にされている。【００４２】
図６に示すように、取付具本体部２０２は、本体部嵌着部２０２ａと、この本体部嵌着部の周囲に形成された本体部平板部２０２ｂと、を有し、本体部嵌着部２０２ａが糸係留部２０４に嵌め込まれることにより、取付具本体部２０２と糸係留部２０４が嵌着されている。また、本体部嵌着部２０２ａの中央には、主貫通孔２０２ｃが１つ設けられている。本体部平板部２０２ｂは円盤状の部分であり、縫着孔である長穴２０２ｄが２つ形成されている。これらの長穴２０２ｄを使用して取付具本体部２０２を布地に縫着する。また、本体部平板部２０２ｂの外周には、隆起部２０２ｅが形成されている。【００４３】
図６に示すように、糸係留部２０４は、円環状の糸係留部嵌着部２０４ａと、この糸係留部嵌着部２０４ａの両側に延びる２本の糸絡め腕２０４ｂと、を有する。糸係留部嵌着部２０４ａが本体部嵌着部２０２ａを受け入れることにより、取付具本体部２０２と糸係留部２０４が嵌着される。糸絡め腕２０４ｂは、糸係留部嵌着部２０４ａの両側から延びるように２本形成されており、その先端が幅広になった概ね扇型の形態を有する。この糸絡め腕２０４ｂの先端の円弧状の部分には、隆起部２０４ｃが構成されている。【００４４】
本体部平板部２０２ｂに形成された隆起部２０２ｅと、糸絡め腕２０４ｂの先端に形成された隆起部２０４ｃは隙間なく当接されており、それらの間に糸を確実に挟持できるようになっている。【００４５】
本発明の第２実施形態によるボタン類取付具２００を使用した衣類の製造方法は、本発明の第１実施形態によるボタン類取付具を使用した衣類の製造方法と同様であるが、ボタンの穴に通された糸の両端を一つにまとめて主貫通孔２０２ｃに通す点が第１実施形態とは異なっている。【００４６】
次に、図７を参照して、両端を一つにまとめた糸を糸絡め腕２０４ｂに絡める絡め方の一例を説明する。まず、図７（ａ）に示すように、主貫通孔２０２ｃから裏側に出た糸（両端を一つにまとめたもの）を、右側の糸絡め腕２０４ｂの下に通す。次に、図７（ｂ）に示すように、右側の糸絡め腕２０４ｂの下を通った糸を、左側の糸絡め腕２０４ｂの上側から下側に通す。さらに、図７（ｃ）に示すように、左側の糸絡め腕２０４ｂに絡めた糸を再び右側の糸絡め腕２０４ｂに絡め、最後に糸の端部を糸挟持部２０６に固定する。【００４７】
本発明の第２実施形態のボタン類取付具によれば、糸の両端を一つにまとめて糸絡め腕に絡めているので、糸を絡める作業を迅速に行うことができる。【００４８】
次に、図８乃至図１４を参照して、本発明の第３実施形態によるボタン類取付具、及びこれに取り付けるための取付用ボタンを説明する。
本実施形態においては、ボタンに挿通されたボタン付け糸とボタン類取付具に係止される係留用糸が、結合部材であるカシメ玉によって結合されている点が、上述した実施形態とは異なる。従って、ここでは、本発明の第３実施形態の第１、第２実施形態とは異なる点についてのみ説明し、同様の点については説明を省略する。図８（ａ）は本発明の第３実施形態によるボタン類取付具の正面図であり、（ｂ）はその側面断面図である。図９（ａ）は本実施形態によるボタン類取付具を構成する取付具本体部の正面図であり、（ｂ）はその側面断面図である。図１０（ａ）は本実施形態によるボタン類取付具を構成する糸係留部の正面図であり、（ｂ）はその側面断面図である。【００４９】
図８に示すように、本発明の第３実施形態によるボタン類取付具３００は、取付具本体部３０２と、糸係留部３０４と、を有する。また、取付具本体部３０２と糸係留部３０４との間には、ボタンを取り付けるための糸の端部を挟んで固定するための糸挟持部３０６が構成されている。本実施形態においても、取付具本体部３０２と糸係留部３０４は別体の部品によって夫々構成され、これらを嵌着することにより図８に示す形状にされる。【００５０】
図９に示すように、取付具本体部３０２は、本体部嵌着部３０２ａと、この本体部嵌着部の周囲に形成された本体部平板部３０２ｂと、を有する。
本体部嵌着部３０２ａは概ね長方形の環状に形成されており、この部分にスナップ式に糸係留部３０４が嵌め込まれることにより、取付具本体部３０２と糸係留部３０４が嵌着されるようになっている。また、環状に形成された本体部嵌着部３０２ａの内部の穴が、主貫通孔３０２ｃとして機能する。【００５１】
本体部平板部３０２ｂは、本体部嵌着部３０２ａの周囲に形成された概ね長円形の板状の部分である。また、本体部平板部３０２ｂには、縫着孔である円形の小穴３０２ｄが１２個形成されており、これらの小穴３０２ｄに糸を通して縫いつけることにより、取付具本体部３０２を布地に縫着することができるようになっている。さらに、本体部平板部３０２ｂの外周には、円盤の厚さが厚くなった隆起部３０２ｅが形成されている。【００５２】
図１０に示すように、糸係留部３０４は、概ね長方形断面の筒状の糸係留部嵌着部３０４ａと、この糸係留部嵌着部３０４ａの四隅から放射方向に延びる４本の糸絡め腕３０４ｂと、を有する。【００５３】
糸係留部嵌着部３０４ａは概ね長方形断面の筒状の部分であり、その先端にはフランジ状の縁が設けられている。この糸係留部嵌着部３０４ａを、その先端の縁が取付具本体部３０２の裏側に突出するように、本体部嵌着部３０２ａの中に嵌め込むことにより、取付具本体部３０２と糸係留部３０４がスナップ式に嵌着されるようになっている。また、後述するように、糸係留部嵌着部３０４ａの内部には、カシメ玉３１６（図１１）が受け入れられる。糸絡め腕３０４ｂは、長方形状の糸係留部嵌着部３０４ａの四隅からに放射状に延びるように４本形成されており、その先端は幅広になり概ね扇型状の形態になっている。この糸絡め腕３０４ｂの先端の円弧状の部分は、厚さが厚くなっており、隆起部３０４ｃを構成している。【００５４】
図８に示すように、本体部平板部３０２ｂに形成された隆起部３０２ｅ及び糸絡め腕３０４ｂの先端に形成された隆起部３０４ｃは、取付具本体部３０２と糸係留部３０４が嵌着されると隙間なく当接し、糸をそれらの間に確実に挟持できるようになっている。【００５５】
次に、図１１乃至図１４を参照して、本発明の第３実施形態によるボタン類取付具に取り付けるための取付用ボタンを説明する。
図１１は、本実施形態によるボタン類取付具に取り付ける取付用ボタンの側面図である。図１２は、取付用ボタンの構造を示す（ａ）斜視図及び（ｂ）側面図である。また、図１３及び図１４は、取付用ボタンの製造方法の一例を示す図である。【００５６】
図１１に示すように、取付用ボタン３０１は、ボタン類であるボタン３１０と、このボタン３１０の孔に挿通されたボタン付け糸３１２と、ボタン類取付具３００に係止するための係留用糸３１４と、ボタン付け糸３１２と係留用糸３１４とを結合するための結合部材であるカシメ玉３１６と、を有する。本実施形態においては、カシメ玉３１６は真鍮製の直径約２．５ｍｍの環状の部材であり、ペンチ等の工具で容易に潰してカシメることができるように構成されている。また、カシメ玉は展性、延性に富む、耐食性の高い材料で形成するのが良く、好ましくは、金、銀、クローム等でメッキされたものを用いるのが良い。【００５７】
図１２（ａ）に示すように、取付用ボタン３０１は、ボタン３１０の孔３１０ａにボタン付け糸３１２を通し、ボタン付け糸３１２の端同士を結ぶことによって輪を形成する。次いで、ボタン付け糸３１２の結び目を接着剤で固着させると共に、ボタン付け糸３１２で形成された輪の中に、係留用糸３１４を通す。本実施形態においては、シアノアクリレイト成分を含む接着剤により、ボタン付け糸３１２の結び目を固着させている。さらに、図１２（ｂ）に示すように、係留用糸３１４の両端部を揃え、揃えた両端部を環状のカシメ玉３１６の中に通す。次に、カシメ玉３１６を、図１１に示す係留用糸３１４がボタン付け糸３１２に通されている位置に移動させ、その状態でカシメ玉３１６をカシメることによってボタン付け糸３１２と係留用糸３１４を結合する。最後に、接着剤を塗布することにより係留用糸３１４の端部を固めると共に、係留用糸３１４の端部を僅かに太くして、係留用糸３１４を絡めやすいようにする。本実施形態においては、エポキシ樹脂系の接着剤を係留用糸３１４の端部に塗布している。【００５８】
次に、図１３及び図１４を参照して、取付用ボタン３０１を工業的に製造する場合における製造方法の一例を説明する。
まず、図１３（ａ）に示すように、ボタン３１０の仮止め用のシート３１８の裏側に、係留用糸３１４をしつけ糸３２０により仮固定する。次に、図１３（ｂ）に示すように、シート３１８の表側に、ボタン３１０を、ボタン３１０の孔３１０ａが係留用糸３１４を跨ぐように配置する。この状態でボタン付け用のミシン等を使用して、ボタン３１０をボタン付け糸３１２によりシート３１８に縫いつける。これにより、図１３（ｃ）に示すように、係留用糸３１４を跨いでボタン付け糸３１２が縫いつけられる。【００５９】
図１４（ａ）に示すように、ボタン付け糸３１２によりボタン３１０をシート３１８及び係留用糸３１４に縫いつけた後、シート３１８を破って除去する。これにより、図１４（ｂ）に示すように、係留用糸３１４をボタン付け糸３１２の輪の中に通したものが得られ、最後にカシメ玉３１６を取り付けて取付用ボタン３０１が完成する。【００６０】
このようにして製造された取付用ボタン３０１を、本発明の第３実施形態によるボタン類取付具３００に取り付ける手順は、上述した実施形態と同様であるので説明を省略する。ただし、本実施形態においては、ボタン３１０から延びる糸である係留用糸３１４が、カシメ玉３１６と共に取付具本体部３０２の主貫通孔３０２ｃに挿通され、カシメ玉３１６は主貫通孔３０２ｃの中に受け入れられる。また、糸係留部３０４の糸絡め腕３０４ｂには係留用糸３１４が絡められ、係留用糸３１４の端部は糸挟持部３０６に挟まれて固定される。【００６１】
本発明の第３実施形態のボタン類取付具によれば、ボタンの孔に挿通したボタン付け糸とボタン類取付具に係止する係留用糸とを、カシメ玉によって結合した取付用ボタンを使用しているので、意匠性に優れた糸をボタン付け糸に使用し、糸係留部に絡めるのに適した糸を係留用糸に使用することができる。【００６２】
また、上述した実施形態においては、取付具本体部の本体部平板部に、これを布地に縫着するための小穴が設けられていたが、変形例として、取付具本体部に小穴を設けずに、取付具本体部を軟質材料で形成しても良い。この場合には、軟質材料製の取付具本体部をミシン等の縫い針で穿刺しながら、取付具本体部を布地に直接縫着する。【００６３】
次に、図１５乃至図１９を参照して、本発明の第４実施形態によるボタン類取付具を説明する。
本実施形態のボタン類取付具は、縫着によることなく布地に取り付け可能な点が、上述した実施形態とは異なる。従って、ここでは、本発明の第４実施形態の第１乃至３実施形態とは異なる点についてのみ説明し、同様の点については説明を省略する。図１５は本発明の第４実施形態によるボタン類取付具の側面断面図である。図１６は本実施形態によるボタン類取付具の分解斜視図である。図１７は本実施形態によるボタン類取付具を構成する取付具本体部の斜視図である。また、図１８は本実施形態によるボタン類取付具を構成する糸係留部の斜視図である。さらに、図１９は本実施形態によるボタン類取付具を構成する固定用部材の斜視図である。【００６４】
図１５及び図１６に示すように、本発明の第４実施形態によるボタン類取付具４００は、取付具本体部４０２と、糸係留部４０４と、固定用部材４０５と、を有する。また、取付具本体部４０２と糸係留部４０４との間には、ボタンを取り付けるための糸の端部を挟んで固定するための糸挟持部４０６が構成されている。また、図１５に示すように、本実施形態によるボタン類取付具４００は、固定用部材４０５を、衣類８のボタン取付穴８ａに通し、取付具本体部４０２及び糸係留部４０４に嵌着させることにより布地に固定される。【００６５】
図１７に示すように、取付具本体部４０２は、本体部嵌着部４０２ａと、この本体部嵌着部の周囲に形成された本体部平板部４０２ｂと、を有する。
本体部嵌着部４０２ａは概ね長方形板状に形成されており、その中央に概ね長方形断面の主貫通孔４０２ｃが設けられている。また、本体部嵌着部４０２ａの主貫通孔４０２ｃの両側には、糸係留部４０４に設けられた嵌着ピン４０４ｅ（図１８）を受け入れるための嵌合穴４０２ｄが夫々形成されている。【００６６】
本体部平板部４０２ｂは、本体部嵌着部４０２ａの周囲に形成された角の丸い概ね長方形の板状の部分であり、本体部嵌着部４０２ａと同心的に形成されている。さらに、本体部平板部４０２ｂの両側の短辺には、隆起した隆起部４０２ｅが形成されている。【００６７】
図１８に示すように、糸係留部４０４は、角の丸い長方形板状の糸係留部嵌着部４０４ａと、この糸係留部嵌着部４０４ａから放射方向に延びる４本の糸絡め腕４０４ｂと、を有する。【００６８】
糸係留部嵌着部４０４ａの中央には、取付具本体部４０２の主貫通孔４０２ｃと整合するように概ね長方形状の貫通穴４０４ｄが形成されている。さらに、糸係留部嵌着部４０４ａの貫通穴４０４ｄの両側には、嵌合穴４０２ｄ（図１７）と整合する位置に嵌着ピン４０４ｅが夫々設けられている。これらの嵌着ピン４０４ｅが各嵌合穴４０２ｄに嵌合されることにより、取付具本体部４０２と糸係留部４０４が嵌着される。糸絡め腕４０４ｂは、概ね長方形板状の糸係留部嵌着部４０４ａの４つの辺から放射状に延びるように４本形成されており、その先端は幅が広くなり糸を絡めることができるようになっている。この糸絡め腕４０４ｂの先端の部分は、厚さが厚くなっており、隆起部４０４ｃを構成している。【００６９】
図１５に示すように、本体部平板部４０２ｂに形成された隆起部４０２ｅ及び糸絡め腕４０４ｂの先端に形成された隆起部４０４ｃは、取付具本体部４０２と糸係留部４０４が嵌着されると隙間なく当接し、糸をそれらの間に確実に挟持できるようになっている。【００７０】
図１９に示すように、固定用部材４０５は、概ね長方形板状のフランジ部４０５ａと、このフランジ部４０５ａの裏側に形成された概ね直方体状の挿入部４０５ｂと、を有する。図１５に示すように、固定用部材４０５の挿入部４０５ｂを、ボタン取付穴８ａを介して、主貫通孔４０２ｃ及び貫通穴４０４ｄに挿入することにより、衣類８の布地がフランジ部４０５ａと取付具本体部４０２の間に挟まれ、ボタン類取付具４００は布地に取り付けられる。【００７１】
フランジ部４０５ａは、概ね長方形板状の部分であり、その中央には、概ね長方形断面の固定用部材貫通孔４０５ｃが形成されている。また、フランジ部４０５ａは、挿入部４０５ｂの周囲に突出するように形成されており、その裏側が衣類８に形成されたボタン取付穴８ａの縁と係合するように構成されている。【００７２】
挿入部４０５ｂは、概ね直方体状の部分であり、その内部にフランジ部４０５ａから連なる固定用部材貫通孔４０５ｃが形成されている。また、固定用部材貫通孔４０５ｃの入口部分は幅が広く形成されており、これにより結合部材であるカシメ玉３１６（図１１）を受け入れる結合部材受入凹部４０５ｄを構成している。即ち、ボタン３１０の孔に挿通されたボタン付け糸３１２と係留用糸３１４とを結合するカシメ玉３１６が結合部材受入凹部４０５ｄに受け入れられ、カシメ玉３１６によって結合された係留用糸３１４が固定用部材貫通孔４０５ｃを通って布地の裏側に挿通される。【００７３】
さらに、挿入部４０５ｂの下端の各長辺には、係合爪４０５ｅが夫々形成されている。この係合爪４０５ｅは、挿入部４０５ｂが適所まで主貫通孔４０２ｃ及び貫通穴４０４ｄに挿入されると、貫通穴４０４ｄの縁と係合するように構成されている。これにより、固定用部材４０５の取付具本体部４０２からの脱落が防止される。【００７４】
次に、本発明の第４実施形態によるボタン類取付具４００を使用した衣類の製造方法を説明する。
まず、衣類８のボタンを取り付けるべき箇所に、ボタン取付穴８ａを形成する。好ましくは、ボタン取付穴８ａの縁がほつれることのないように、ボタン穴かがりの要領で穴の縁をかがり縫いしておく。次に、ボタン取付穴８ａに固定用部材４０５の挿入部４０５ｂを挿入して、その下端に設けられた係合爪４０５ｅが、衣類８の布地の裏面側に突出するようにする。一方、糸係留部４０４の嵌着ピン４０４ｅと取付具本体部４０２の嵌合穴４０２ｄを嵌合させることにより、糸係留部４０４と取付具本体部４０２を嵌着させる。【００７５】
次に、布地の裏面側に突出している挿入部４０５ｂを、嵌着された取付具本体部４０２及び糸係留部４０４に形成されている主貫通孔４０２ｃ及び貫通穴４０４ｄに挿入する。これにより、挿入部４０５ｂ下端の係合爪４０５ｅと貫通穴４０４ｄの縁が係合し、取付具本体部４０２、糸係留部４０４及び固定用部材４０５が強固に嵌着される。また、この際、衣類８のボタン取付穴８ａの縁が、固定用部材４０５のフランジ部４０５ａと取付具本体部４０２の間に挟まれ、ボタン類取付具４００が布地に固定される。【００７６】
次いで、取付用ボタン３０１（図１１）を準備し、ボタン３１０から延びる係留用糸３１４を、取付具本体部４０２の主貫通孔４０２ｃに挿通させる。これにより、係留用糸３１４に結合されたカシメ玉３１６が、固定用部材４０５の結合部材受入凹部４０５ｄに受け入れられる。また、固定用部材貫通孔４０５ｃの幅はカシメ玉３１６よりも小さく形成されているため、カシメ玉３１６は結合部材受入凹部４０５ｄに保持される。このため、糸絡め腕４０４ｂに絡める際に係留用糸３１４を引いても、カシメ玉３１６が固定用部材貫通孔４０５ｃを通って布地の裏面側に抜けることはない。【００７７】
最後に、係留用糸３１４を糸係留部４０４の糸絡め腕４０４ｂに絡め、糸の端部を、取付具本体部４０２の隆起部４０２ｅと糸絡め腕４０４ｂの隆起部４０４ｃの間の糸挟持部４０６に挟持して固定する。これにより、ボタン３１０の取り付け作業が終了する。係留用糸３１４の絡め方については、上述した実施形態と同様であるので説明を省略する。【００７８】
本発明の第４実施形態のボタン類取付具によれば、固定用部材と取付具本体部の間に布地を挟むことにより、ボタン類取付具を布地に取り付けることができるので、縫着によることなく、ボタン類取付具を布地に取り付けることができる。【００７９】
また、本実施形態のボタン類取付具によれば、固定用部材にカシメ玉を受け入れ、保持する結合部材受入凹部が形成されているので、糸絡め腕に絡めるために係留用糸を引いたとき、カシメ玉が布地の裏側に抜けるのを防止することができる。【００８０】
次に、図２０乃至図２３を参照して、本発明の第５実施形態によるボタン類取付具を説明する。
本実施形態のボタン類取付具は、取付具本体部と糸係留部が嵌着されていない点が、上述した第４実施形態とは異なる。従って、ここでは、本発明の第５実施形態の第１乃至４実施形態とは異なる点についてのみ説明し、同様の点については説明を省略する。図２０は本発明の第５実施形態によるボタン類取付具の取り付ける様子を側面から示した分解図である。図２１は本実施形態によるボタン類取付具を構成する取付具本体部の（ａ）正面図及び（ｂ）側面図である。また、図２２は本実施形態によるボタン類取付具を構成する糸係留部の（ａ）正面図及び（ｂ）側面図である。さらに、図２３は本実施形態によるボタン類取付具を構成する固定用部材の（ａ）正面図及び（ｂ）側面図である。【００８１】
図２０に示すように、本発明の第５実施形態によるボタン類取付具５００は、取付具本体部５０２と、糸係留部５０４と、固定用部材５０５と、を有する。また、取付具本体部５０２と糸係留部５０４との間には、ボタンを取り付けるための糸の端部を挟んで固定するための糸挟持部５０６が構成されている。さらに、本実施形態によるボタン類取付具５００は、固定用部材５０５を、衣類８のボタン取付穴８ａに通し、取付具本体部５０２及び糸係留部５０４に嵌着させることにより布地に固定される。【００８２】
図２１（ａ）、（ｂ）に示すように、取付具本体部５０２は、本体部嵌着部５０２ａと、この本体部嵌着部の周囲に形成された本体部平板部５０２ｂと、を有する。
本体部嵌着部５０２ａは概ね長方形板状に形成されており、その中央に概ね長方形断面の主貫通孔５０２ｃが設けられている。
本体部嵌着部５０２ａは、主貫通孔５０２ｃの周囲に形成された角の丸い概ね長方形の板状の部分であり、本体部平板部５０２ｂは、本体部嵌着部５０２ａの両側に形成されている。【００８３】
図２２（ａ）、（ｂ）に示すように、糸係留部５０４は、角の丸い長方形板状の糸係留部嵌着部５０４ａと、この糸係留部嵌着部５０４ａの両側に延びる２本の糸絡め腕５０４ｂと、を有する。【００８４】
糸係留部嵌着部５０４ａの中央には、取付具本体部５０２の主貫通孔５０２ｃと整合するように概ね長方形状の貫通穴５０４ｄが形成されている。糸絡め腕５０４ｂは、概ね長方形板状の糸係留部嵌着部５０４ａの２つの短辺から延びるように２本形成されており、その先端は幅が広くなり糸を絡めることができるようになっている。この糸絡め腕５０４ｂの先端の部分は、厚さが厚くなっており、隆起部５０４ｃを構成している。【００８５】
図２０に示すように、本体部平板部５０２ｂと糸絡め腕５０４ｂの先端に形成された隆起部５０４ｃは、取付具本体部５０２、糸係留部５０４及び固定用部材５０５が嵌着されると隙間なく当接し、糸をそれらの間に確実に挟持できるようになっている。また、図２２（ｂ）に示すように、隆起部５０４ｃの高さｈは、糸係留部５０４の表側と裏側で異なっており、後述するように、使用状態に応じて表側と裏側を適宜使い分けることができるようになっている。【００８６】
図２３（ａ）、（ｂ）に示すように、固定用部材５０５は、概ね長方形板状のフランジ部５０５ａと、このフランジ部５０５ａの裏側に形成された概ね直方体状の挿入部５０５ｂと、を有する。図２０に示すように、固定用部材５０５の挿入部５０５ｂを、ボタン取付穴８ａを介して、主貫通孔５０２ｃ及び貫通穴５０４ｄに挿入することにより、衣類８の布地がフランジ部５０５ａと取付具本体部５０２の間に挟まれると共に、取付具本体部５０２と、糸係留部５０４と、固定用部材５０５が一体に嵌着される。これにより、ボタン類取付具５００は布地に取り付けられる。【００８７】
フランジ部５０５ａは、挿入部５０５ｂの周囲に突出するように形成された概ね長方形板状の部分であり、その中央には、概ね長方形断面の固定用部材貫通孔５０５ｃが形成されている。衣類への取り付け時においては、フランジ部５０５ａの裏側が衣類８に形成されたボタン取付穴８ａの周囲と当接する。また、フランジ部５０５ａの寸法は、取付具本体部５０２及び糸係留部５０４とほぼ同一にされている。このため、後述するように、本実施形態のボタン類取付具５００は、取付具本体部５０２を省略して使用した場合にも、係留用糸３１４の端部をフランジ部５０５ａと糸絡め腕５０４ｂの隆起部５０４ｃの間に布地と共に挟み込むことができる。【００８８】
挿入部５０５ｂは、概ね直方体状の部分であり、その内部にフランジ部５０５ａから連なる固定用部材貫通孔５０５ｃが形成されている。また、固定用部材貫通孔５０５ｃの入口部分は幅が広く形成されており、これにより結合部材であるカシメ玉３１６（図１１）を受け入れる結合部材受入凹部５０５ｄを構成している。【００８９】
さらに、挿入部５０５ｂの下端の各長辺には、係合爪５０５ｅが夫々形成されている。この係合爪５０５ｅは、挿入部５０５ｂが適所まで主貫通孔５０２ｃ及び貫通穴５０４ｄに挿入されると、貫通穴５０４ｄの縁と係合するように構成されている。これにより、固定用部材５０５と、取付具本体部５０２及び糸係留部５０４が一体に嵌着され、固定用部材５０５の脱落が防止される。また、貫通穴５０４ｄの両側の縁には爪受入凹部５０４ｅ（図２２）が夫々形成されており、貫通穴５０４ｄの縁に係合された係合爪５０５ｅは爪受入凹部５０４ｅの中に落とし込まれる。これにより、挿入部５０５ｂの下端は糸係留部嵌着部５０４ａから突出せず、これらは面一となるので、ボタン類取付具５００の使用感は良好なものとなる。【００９０】
本発明の第５実施形態によるボタン類取付具５００を使用した衣類の製造方法は、上述した第４実施形態と同様であるので説明を省略する。ただし、第４実施形態においては、取付具本体部４０２と糸係留部４０４が予め嵌着されていたのに対し、本実施形態のボタン類取付具５００においては、固定用部材５０５の挿入部５０５ｂが取付具本体部５０２及び糸係留部５０４に形成されている主貫通孔５０２ｃ及び貫通穴５０４ｄに挿入されたとき、これらが初めて嵌着される。また、本実施形態においては、固定用部材５０５のフランジ部５０５ａが大きく形成されているため、ボタン類取付具５００が衣類８に強固に固定される。【００９１】
また、上述したように、糸係留部５０４の隆起部５０４ｃの高さｈは各面で異なっており、取付具本体部５０２の側に配置する面を使い分けることができる。即ち、隆起部５０４ｃの高さｈが低い方の面を取付具本体部５０２側に配置した場合には、糸絡め腕５０４ｂと本体部平板部５０２ｂの間の隙間が小さく、係留用糸３１４を糸絡め腕５０４ｂに２回程度絡める使用に適し、高さｈが高い方の面を取付具本体部５０２側に配置した場合には、係留用糸３１４を３回程度絡める使用に適する。或いは、使用する係留用糸３１４の太さや、ボタン類取付具５００を取り付ける布地の厚さに応じて取付具本体部５０２側に配置する面を使い分けることもできる。【００９２】
さらに、本実施形態のボタン類取付具５００は、衣類８の布地が厚い場合等には、取付具本体部５０２を省略し、糸係留部５０４と固定用部材５０５のみで使用することもできる。この場合には、固定用部材５０５のフランジ部５０５ａと糸係留部５０４の間に布地が挟まれることによって、ボタン類取付具５００が衣類８に固定される。従って、この場合には、糸係留部５０４が、一体化された取付具本体部及び糸係留部として機能し、糸係留部５０４の貫通穴５０４ｄが主貫通孔として機能する。また、糸係留部５０４の糸絡め腕５０４ｂに絡められた係留用糸３１４の端部は、隆起部５０４ｃと布地の間に挟持されるので、この部分が糸挟持部として機能する。【００９３】
或いは、固定用部材５０５の挿入部５０５ｂの高さを予め低く形成しておき、取付具本体部５０２を省略して使用することもできる。このように、本実施形態のボタン類取付具５００は、取付具本体部５０２の使用の有無や、糸係留部５０４の配置、固定用部材５０５の挿入部５０５ｂの高さを適宜変更することによって、種々の布地や係留用糸に適用することができる。【００９４】
例えば、取付具本体部５０２を使用せず、挿入部５０５ｂの高さが低い固定用部材５０５と、糸係留部５０４とを組み合わせることによって、ボタン類取付具５００全体を薄型に構成することができるので、衣類８に取り付けた場合の肌当たりを良好なもにすることができる。或いは、ニット素材やデリケートな生地に本実施形態のボタン類取付具５００を適用する場合には、固定用部材５０５と取付具本体部５０２との間に布地を挟むように使用するのが良い。【００９５】
本発明の第５実施形態のボタン類取付具によれば、糸係留部の糸絡め腕が２本であるので、４本の場合よりもボタン類取付具を小型に形成することができる。
また、本実施形態のボタン類取付具によれば、取付具本体部を省略することができる（取付具本体部と糸係留部が一体化されている）ので、ボタン類取付具全体を薄型に構成することができる。【００９６】
以上、本発明の好ましい実施形態を説明したが、上述した実施形態に種々の変更を加えることができる。特に、上述した実施形態においては、一般に流通している通常の２つ穴ボタン、４つ穴ボタンを布地に取り付ける場合を説明したが、台付ボタン等、任意の形態のボタンやアクセサリを含むボタン類に本発明を適用することもできる。また、ボタンを取り付ける布地は、織られた生地の他、不織布、合成皮革、革、ニット、ビニールシート等、任意のものにすることができる。なお、本明細書において「布地」には、これらのものが含まれるものとする。【００９７】
さらに、一般に、ボタン付けには５〜４０番手程度の太番手糸が使用され、縫着には５０〜１２０番手程度の細番手糸が使用されるが、使用する糸の太さは適用に合わせて適宜選択することができる。糸の材質は、木綿、絹、ナイロン、ポリエステル等の合成繊維、樹脂、金属等、任意のものを使用することができる。また、一般に糸は、単糸又は複数の合糸を２、３本縒り合わせることによって製造されているが、テグスや金属フィラメントのような単線を糸として使用することもできる。さらに、８〜１２本程度の単糸又は合糸を紐状（円形状）、平編み状（平型状）に組んだ紐を、糸として使用することができる。このように組まれた紐は、ボタンとボタン類取付具の着脱を繰り返した場合にも、糸の縒りが戻ったり、ほつれたりすることがなく、係留用糸として特に好適である。好ましくは、８本のナイロン製の糸を紐状に組んだものに引っ張りを掛け、太さ約０．５ｍｍの紐にしたものを使用するのがよい。なお、本明細書において「糸（ボタン付け糸、係留用糸を含む）」には、上記の糸、単線、紐等が含まれるものとする。【００９８】
また、上述した第１乃至第３実施形態においては、ボタン類取付具は、取付具本体部と糸係留部の２つの部品から構成され、これらが嵌着されることにより一体にされていたが、これらを接着、溶着等により一体にしても良く、また、取付具本体部と糸係留部を初めから一体に形成しても良い。或いは、ボタン類取付具を３つ以上の部品から構成しても良い。【００９９】
さらに、上述した実施形態においては、本体部平板部及び糸絡め腕に夫々形成された隆起部によって糸挟持部が構成されていたが、糸挟持部は糸を挟んで固定することができる任意の構成を採ることができる。例えば、取付具本体部又は糸係留部に糸を挟むための切欠を形成し、これを糸挟持部としても良い。【０１００】
また、上述した実施形態においては、係留用糸の中間部をカシメ玉で固定することによって取付用ボタンが構成されているので、２本の係留用糸がボタンから延びることになるが、例えば、係留用糸の端部をカシメ玉によって固定し、ボタンから１本の係留用糸が延びるように取付用ボタンを構成しても良い。【０１０１】
さらに、上述した実施形態においては、金属製の環をカシメ玉（結合部材）として使用していたが、他の形態のものを結合部材として使用することができる。変形例として、図２４（ａ）に示すような、概ね眼鏡状に湾曲された針金を結合部材として使用することもできる。図２４（ａ）に示すように、変形例のカシメ玉５１６は、１本の針金を湾曲させることによって形成され、左右に２つの環状部５１６ａが構成されている。この変形例によるカシメ玉５１６を使用する際には、２本の係留用糸３１４を各環状部５１６ａの間５１６ｂから挿入した後、隙間５１６ｃを通して各環状部５１６ａの中に係留用糸を１本ずつ配置する。次いで、カシメ玉５１６をかしめることによって、図２４（ｂ）に示すように、係留用糸３１４を固定する。【０１０２】
或いは、図２４（ｃ）に示すような、概ね門型に湾曲された針金を結合部材として使用することもできる。この変形例のカシメ玉５１８においても、図２４（ｃ）に示すように、内部に２本の係留用糸３１４を配置した後、（ｄ）に示すようにカシメ玉５１８をかしめて係留用糸３１４を固定する。本変形例のカシメ玉５１６、５１８によれば、カシメ玉に係留用糸を端部から挿通する必要がないため、カシメ玉を取り付ける作業性を向上させることができる。
【図面の簡単な説明】
【０１０３】
【図１】本発明の第１実施形態によるボタン類取付具の（ａ）正面図、及び（ｂ）側面断面図である。
【図２】本発明の第１実施形態によるボタン類取付具を構成する取付具本体部の（ａ）正面図、及び（ｂ）側面断面図である。
【図３】本発明の第１実施形態によるボタン類取付具を構成する糸係留部の（ａ）正面図、及び（ｂ）側面断面図である。
【図４】衣類のボタン取付部分を拡大し、（ａ）衣類の表側から見た斜視図、及び（ｂ）衣類の裏側から見た斜視図である。
【図５】糸係留部に対する糸の絡め方の一例を示す図である。
【図６】本発明の第２実施形態によるボタン類取付具の（ａ）正面図、及び（ｂ）側面断面図である。
【図７】糸係留部に対する糸の絡め方の一例を示す図である。
【図８】本発明の第３実施形態によるボタン類取付具の（ａ）正面図、及び（ｂ）側面断面図である。
【図９】本発明の第３実施形態によるボタン類取付具を構成する取付具本体部の（ａ）正面図、及び（ｂ）側面断面図である。
【図１０】本発明の第３実施形態によるボタン類取付具を構成する糸係留部の（ａ）正面図、及び（ｂ）側面断面図である。
【図１１】本発明の第３実施形態によるボタン類取付具に取り付ける取付用ボタンの側面図である。
【図１２】取付用ボタンの構造を示す（ａ）斜視図、及び（ｂ）側面図である。
【図１３】取付用ボタンの製造方法の一例を示す図である。
【図１４】取付用ボタンの製造方法の一例を示す図である。
【図１５】本発明の第４実施形態によるボタン類取付具の側面断面図である。
【図１６】本発明の第４実施形態によるボタン類取付具の分解斜視図である。
【図１７】本発明の第４実施形態によるボタン類取付具を構成する取付具本体部の斜視図である。
【図１８】本発明の第４実施形態によるボタン類取付具を構成する糸係留部の斜視図である。
【図１９】本発明の第４実施形態によるボタン類取付具を構成する固定用部材の斜視図である。
【図２０】本発明の第５実施形態によるボタン類取付具の取り付ける様子を側面から示した分解図である。
【図２１】本発明の第５実施形態によるボタン類取付具を構成する取付具本体部の（ａ）正面図及び（ｂ）側面図である。
【図２２】本発明の第５実施形態によるボタン類取付具を構成する糸係留部の（ａ）正面図及び（ｂ）側面図である。
【図２３】本発明の第５実施形態によるボタン類取付具を構成する固定用部材の（ａ）正面図及び（ｂ）側面図である。
【図２４】変形例によるカシメ玉を示す図である。
【符号の説明】
【０１０４】
１        本発明の第１実施形態によるボタン類取付具
２        取付具本体部
２ａ      本体部嵌着部
２ｂ      本体部平板部
２ｃ      主貫通孔
２ｄ      長穴（縫着孔）
２ｅ      隆起部
４        糸係留部
４ａ      糸係留部嵌着部
４ｂ      糸絡め腕
４ｃ      隆起部
６        糸挟持部
８        衣類
８ａ      ボタン取付穴
８ｂ      縫着糸
１０      ボタン
１０ａ    穴
１２      糸
２００    本発明の第２実施形態によるボタン類取付具
２０２    取付具本体部
２０２ａ  本体部嵌着部
２０２ｂ  本体部平板部
２０２ｃ  主貫通孔
２０２ｄ  長穴（縫着孔）
２０２ｅ  隆起部
２０４    糸係留部
２０４ａ  糸係留部嵌着部
２０４ｂ  糸絡め腕
２０４ｃ  隆起部
２０６    糸挟持部
３００    本発明の第３実施形態によるボタン類取付具
３０１    取付用ボタン
３０２    取付具本体部
３０２ａ  本体部嵌着部
３０２ｂ  本体部平板部
３０２ｃ  主貫通孔
３０２ｄ  小穴（縫着孔）
３０２ｅ  隆起部
３０４    糸係留部
３０４ａ  糸係留部嵌着部
３０４ｂ  糸絡め腕
３０４ｃ  隆起部
３０６    糸挟持部
３１０    ボタン
３１２    ボタン付け糸
３１４    係留用糸
３１６    カシメ玉
３１８    シート
３２０    しつけ糸
４００    本発明の第４実施形態によるボタン類取付具
４０２    取付具本体部
４０２ａ  本体部嵌着部
４０２ｂ  本体部平板部
４０２ｃ  主貫通孔
４０２ｄ  嵌合穴
４０２ｅ  隆起部
４０４    糸係留部
４０４ａ  糸係留部嵌着部
４０４ｂ  糸絡め腕
４０４ｃ  隆起部
４０４ｄ  貫通穴
４０４ｅ  嵌着ピン
４０５    固定用部材
４０５ａ  フランジ部
４０５ｂ  挿入部
４０５ｃ  固定用部材貫通孔
４０５ｄ  結合部材受入凹部
４０５ｅ  係合爪
４０６    糸挟持部
５００    本発明の第５実施形態によるボタン類取付具
５０２    取付具本体部
５０２ａ  本体部嵌着部
５０２ｂ  本体部平板部
５０２ｃ  主貫通孔
５０４    糸係留部
５０４ａ  糸係留部嵌着部
５０４ｂ  糸絡め腕
５０４ｃ  隆起部
５０４ｄ  貫通穴
５０４ｅ  爪受入凹部
５０５    固定用部材
５０５ａ  フランジ部
５０５ｂ  挿入部
５０６    糸挟持部
５１６    変形例のカシメ玉
５１８    変形例のカシメ玉
【図１】
2008099461.tif 000003
【図２】
2008099461.tif 000004
【図３】
2008099461.tif 000005
【図４】
2008099461.tif 000006
【図５】
2008099461.tif 000007
【図６】
2008099461.tif 000008
【図７】
2008099461.tif 000009
【図８】
2008099461.tif 000010
【図９】
2008099461.tif 000011
【図１０】
2008099461.tif 000012
【図１１】
2008099461.tif 000013
【図１２】
2008099461.tif 000014
【図１３】
2008099461.tif 000015
【図１４】
2008099461.tif 000016
【図１５】
2008099461.tif 000017
【図１６】
2008099461.tif 000018
【図１７】
2008099461.tif 000019
【図１８】
2008099461.tif 000020
【図１９】
2008099461.tif 000021
【図２０】
2008099461.tif 000022
【図２１】
2008099461.tif 000023
【図２２】
2008099461.tif 000024
【図２３】
2008099461.tif 000025
【図２４】
2008099461.tif 000026
【手続補正書】
【提出日】平成21年5月26日(2009.5.26)
【手続補正１】
【補正対象書類名】特許請求の範囲
【補正対象項目名】全文
【補正方法】変更
【補正の内容】
【特許請求の範囲】
【請求項１】
ボタン類を、布地に着脱可能に取り付けるためのボタン類取付具であって、
布地に取り付けるべきボタン類から延び、上記布地に形成したボタン取付穴に挿通された糸を通すための主貫通孔が形成された取付具本体部と、
上記主貫通孔を通った糸を絡めるための糸係留部と、
この糸係留部に絡めた糸の端部を挟んで固定するための糸挟持部と、を有し、
上記取付具本体部と上記糸係留部は、嵌着可能な別体の部品によって構成され、嵌着された上記取付具本体部と上記糸係留部との間に上記糸挟持部が形成され、
上記取付具本体部は、上記主貫通孔が形成され、上記糸係留部に嵌着される本体部嵌着部と、この本体部嵌着部の周囲に形成された本体部平板部と、を備えることを特徴とするボタン類取付具。
【請求項２】
上記糸係留部は、上記本体部嵌着部に嵌着される糸係留部嵌着部と、この糸係留部嵌着部から延び、先端が幅広に形成された糸絡め腕と、を備える請求項１記載のボタン類取付具。
【請求項３】
上記糸挟持部は、上記本体部平板部及び／又は上記糸絡め腕に形成された隆起部によって構成されている請求項２記載のボタン類取付具。
【請求項４】
上記取付具本体部には、上記取付具本体部を布地に縫着するための複数の縫着孔が形成されている請求項１乃至３の何れか１項に記載のボタン類取付具。
【請求項５】
さらに、ボタン類から延びる糸を挿通する固定用部材貫通孔が形成され、上記ボタン取付穴を介して上記布地を挟むように上記取付具本体部と嵌着されることにより、上記取付具本体部を上記布地に固定する固定用部材を有する請求項１乃至３の何れか１項に記載のボタン類取付具。
【請求項６】
上記取付具本体部と上記糸係留部が一体に形成され、この一体化された糸係留部と上記布地との間に上記糸挟持部が形成される請求項５記載のボタン類取付具。
【請求項７】
上記固定用部材が、ボタン類の孔に挿通されたボタン付け糸を、上記糸係留部に絡める係留用糸に結合するための結合部材を受け入れ、保持する結合部材受入凹部を有する請求項５又は６記載のボタン類取付具。
【請求項８】
請求項１乃至７の何れか１項に記載のボタン類取付具に取り付けるための取付用ボタンであって、
ボタン類と、
このボタン類の孔に挿通されたボタン付け糸と、
上記ボタン類取付具に係止するための係留用糸である単糸又は合糸を組んだ紐と、
上記ボタン付け糸と上記係留用糸とを結合する結合部材と、
を有することを特徴とする取付用ボタン。
【請求項９】
ボタン類が取り付けられた衣類の製造方法であって、
衣類の上記ボタン類を取り付けるべき箇所にボタン取付穴を形成する段階と、
請求項１乃至７の何れか１項に記載のボタン類取付具を準備する段階と、
上記ボタン類から延びる糸を、上記ボタン取付穴に挿通する段階と、
上記ボタン取付穴を通った糸を、上記ボタン類取付具の上記主貫通孔に挿通する段階と、
上記主貫通孔を通った糸を、上記糸係留部に絡める段階と、
上記糸係留部に絡めた糸を上記糸挟持部に挟んで固定する段階と、
を有することを特徴とする衣類の製造方法。
【手続補正２】
【補正対象書類名】明細書
【補正対象項目名】０００９
【補正方法】変更
【補正の内容】
【０００９】
上述した課題を解決するために、本発明は、ボタン類を、布地に着脱可能に取り付けるためのボタン類取付具であって、布地に取り付けるべきボタン類から延び、布地に形成したボタン取付穴に挿通された糸を通すための主貫通孔が形成された取付具本体部と、主貫通孔を通った糸を絡めるための糸係留部と、この糸係留部に絡めた糸の端部を挟んで固定するための糸挟持部と、を有し、取付具本体部と糸係留部は、嵌着可能な別体の部品によって構成され、嵌着された取付具本体部と糸係留部との間に糸挟持部が形成され、取付具本体部は、主貫通孔が形成され、糸係留部に嵌着される本体部嵌着部と、この本体部嵌着部の周囲に形成された本体部平板部と、を備えることを特徴としている。
【手続補正３】
【補正対象書類名】明細書
【補正対象項目名】００１０
【補正方法】変更
【補正の内容】
【００１０】
このように構成された本発明においては、布地に取り付けるべきボタン類から延びる糸を、布地に形成したボタン取付穴に挿通し、さらに、取付具本体部の主貫通孔に挿通する。主貫通孔を通った糸は、糸係留部に絡められ、絡めた糸の端部は、嵌着された取付具本体部と糸係留部との間の糸挟持部に挟まれ、固定される。また、ボタン類を取り外す場合には、挟持された糸を糸挟持部から抜き、糸係留部に絡めた糸をもとに戻せばよい。
【手続補正４】
【補正対象書類名】明細書
【補正対象項目名】００１１
【補正方法】変更
【補正の内容】
【００１１】
このように構成された本発明によれば、ボタン類を容易に着脱することができる。また、一般に流通している通常のボタンを、通常の糸によって取り付けることができるので、使用感も通常のボタンと異なることがない。また、このように構成された本発明によれば、糸を確実に固定することができる糸挟持部を簡便に形成することができる。さらに、このように構成された本発明によれば、本体部嵌着部の周囲に本体部平板部が形成されているので、主貫通孔の周囲を本体部平板部により補強することができる。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００２３
【補正方法】変更
【補正の内容】
【００２３】
また、本発明は、本発明のボタン類取付具に取り付けるための取付用ボタンであって、ボタン類と、このボタン類の孔に挿通されたボタン付け糸と、ボタン類取付具に係止するための係留用糸である単糸又は合糸を組んだ紐と、ボタン付け糸と係留用糸とを結合する結合部材と、を有することを特徴としている。
【手続補正書】
【提出日】平成21年8月6日(2009.8.6)
【手続補正１】
【補正対象書類名】特許請求の範囲
【補正対象項目名】全文
【補正方法】変更
【補正の内容】
【特許請求の範囲】
【請求項１】
ボタン類を、布地に着脱可能に取り付けるためのボタン類取付具であって、
布地に取り付けるべきボタン類から延び、上記布地に形成したボタン取付穴に挿通された糸を通すための主貫通孔が形成された取付具本体部と、
上記主貫通孔を通った糸を絡めるための糸係留部と、
この糸係留部に絡めた糸の端部を挟んで固定するための糸挟持部と、を有し、
上記取付具本体部と上記糸係留部は、嵌着可能な別体の部品によって構成され、
上記糸挟持部は、上記糸係留部に絡めた糸の端部を、嵌着された上記取付具本体部と上記糸係留部との間に挟むようになっており、
上記取付具本体部は、上記主貫通孔が形成され、上記糸係留部に嵌着される本体部嵌着部と、この本体部嵌着部の周囲に形成された本体部平板部と、を備えることを特徴とするボタン類取付具。
【請求項２】
上記糸係留部は、上記本体部嵌着部に嵌着される糸係留部嵌着部と、この糸係留部嵌着部から延び、先端が幅広に形成された糸絡め腕と、を備える請求項１記載のボタン類取付具。
【請求項３】
上記糸挟持部は、上記本体部平板部及び／又は上記糸絡め腕に形成された隆起部によって構成されている請求項２記載のボタン類取付具。
【請求項４】
上記取付具本体部には、上記取付具本体部を布地に縫着するための複数の縫着孔が形成されている請求項１乃至３の何れか１項に記載のボタン類取付具。
【請求項５】
さらに、ボタン類から延びる糸を挿通する固定用部材貫通孔が形成され、上記ボタン取付穴を介して上記布地を挟むように上記取付具本体部と嵌着されることにより、上記取付具本体部を上記布地に固定する固定用部材を有する請求項１乃至３の何れか１項に記載のボタン類取付具。
【請求項６】
上記取付具本体部と上記糸係留部が一体に形成され、この一体化された糸係留部と上記布地との間に上記糸挟持部が形成される請求項５記載のボタン類取付具。
【請求項７】
上記固定用部材が、ボタン類の孔に挿通されたボタン付け糸を、上記糸係留部に絡める係留用糸に結合するための結合部材を受け入れ、保持する結合部材受入凹部を有する請求項５又は６記載のボタン類取付具。
【請求項８】
請求項１乃至７の何れか１項に記載のボタン類取付具に取り付けるための取付用ボタンであって、
ボタン類と、
このボタン類の孔に挿通されたボタン付け糸と、
上記ボタン類取付具に係止するための係留用糸である単糸又は合糸を組んだ紐と、
上記ボタン付け糸と上記係留用糸とを結合する結合部材と、
を有することを特徴とする取付用ボタン。
【請求項９】
ボタン類が取り付けられた衣類の製造方法であって、
衣類の上記ボタン類を取り付けるべき箇所にボタン取付穴を形成する段階と、
請求項１乃至７の何れか１項に記載のボタン類取付具を準備する段階と、
上記ボタン類から延びる糸を、上記ボタン取付穴に挿通する段階と、
上記ボタン取付穴を通った糸を、上記ボタン類取付具の上記主貫通孔に挿通する段階と、
上記主貫通孔を通った糸を、上記糸係留部に絡める段階と、
上記糸係留部に絡めた糸を上記糸挟持部に挟んで固定する段階と、
を有することを特徴とする衣類の製造方法。
【手続補正２】
【補正対象書類名】明細書
【補正対象項目名】０００９
【補正方法】変更
【補正の内容】
【０００９】
上述した課題を解決するために、本発明は、ボタン類を、布地に着脱可能に取り付けるためのボタン類取付具であって、布地に取り付けるべきボタン類から延び、布地に形成したボタン取付穴に挿通された糸を通すための主貫通孔が形成された取付具本体部と、主貫通孔を通った糸を絡めるための糸係留部と、この糸係留部に絡めた糸の端部を挟んで固定するための糸挟持部と、を有し、糸挟持部は、糸係留部に絡めた糸の端部を、嵌着された取付具本体部と糸係留部との間に挟むようになっており、取付具本体部と糸係留部は、嵌着可能な別体の部品によって構成され、嵌着された取付具本体部と糸係留部との間に糸挟持部が形成され、取付具本体部は、主貫通孔が形成され、糸係留部に嵌着される本体部嵌着部と、この本体部嵌着部の周囲に形成された本体部平板部と、を備えることを特徴としている。
【国際調査報告】
2008099461.tif 000027
2008099461.tif 000028